(57)【要約】      （修正有）【課題】日よけ用シート体を通過した太陽光の強度が快適なものとなる日よけ用シート体を提供する。【解決手段】両主表面を有する日よけ用のシート体であって、両主表面の一方である一主表面１３ａを分割直線により複数の領域２１、３１、４１、５１に分割し、複数の領域それぞれの全体の遮光率が、領域２１から領域５１に行くにつれて減少するように構成する。高遮光率部分は、太陽光を減衰させ又は遮断する遮光材を有すると共に、低遮光率部分は、遮光材を有さず、両主表面を連絡する開口が形成され、遮光材は、細長い遮光長手部材を含み、複数の遮光長手部材が、互いの長手方向が略平行になるように配置される。【選択図】図１
0003201610.tif 000002
【実用新案登録請求の範囲】
【請求項１】
両主表面を有する日よけ用のシート体であって、
該両主表面の一方である一主表面を平面に沿わせた場合、該一主表面を横断する仮想上の線分が、該一主表面に存し該線分に垂直な直線である分割直線により互いに分割された、該一主表面を形成する複数の領域を通過し、
該複数の領域それぞれの全体の遮光率が、該線分の一端側に存する領域から該線分の他端側に存する領域に行くにつれて減少するものである、日よけ用シート体。
【請求項２】
前記複数が少なくとも３である、請求項１に記載の日よけ用シート体。
【請求項３】
比較的高い略同じ遮光率を有する部分である複数の高遮光率部分と、高遮光率部分よりも遮光率の比較的低い略同じ遮光率を有する部分である複数の低遮光率部分と、を含んでなり、
高遮光率部分に対する低遮光率部分の、前記各領域の比率を、前記線分の前記一端側に存する領域から前記線分の前記他端側に存する領域に行くにつれて増加させることで、前記全体の遮光率が、前記線分の前記一端側に存する領域から前記線分の前記他端側に存する領域に行くにつれて減少するものである、請求項１又は２に記載の日よけ用シート体。
【請求項４】
高遮光率部分は、太陽光を減衰させ又は遮断する遮光材を有すると共に、低遮光率部分は、遮光材を有さず、前記両主表面を連絡する開口が形成されているものである、請求項３に記載の日よけ用シート体。
【請求項５】
前記遮光材は、細長い遮光長手部材を含んでなり、
複数の遮光長手部材が、互いの長手方向が略平行になるように前記一主表面に沿って配置されるものである、請求項４に記載の日よけ用シート体。
【請求項６】
遮光長手部材の長手方向と前記線分とが前記一主表面において略直交するものである、請求項５に記載の日よけ用シート体。
【請求項７】
複数の遮光長手部材同士の間に形成される隙間が低遮光率部分を構成するものである、請求項５又は６に記載の日よけ用シート体。
【請求項８】
遮光長手部材が、前記シート体の両主表面を構成する前記長手方向に細長い短冊状である、請求項５乃至７のいずれか１に記載の日よけ用シート体。
【請求項９】
複数の遮光長手部材が略同じ長さであり、
複数の遮光長手部材が、両端が長手方向に関して略同じ位置に存することで前記一主表面が長方形に略形成されるものである、請求項５乃至８のいずれか１に記載の日よけ用シート体。
【請求項１０】
複数の遮光長手部材同士を互いに縛り付け支持する支持線材を有するものである、請求項５乃至９のいずれか１に記載の日よけ用シート体。
【請求項１１】
請求項１乃至１０のいずれか１に記載の日よけ用シート体を用いた日よけ。
【請求項１２】
前記線分の前記一端側に存する前記一主表面の縁部の近傍に形成され、前記日よけを支持物に取り付け支持させる取付部を有するものである、請求項１１に記載の日よけ。
【考案の詳細な説明】
【技術分野】
【０００１】
本考案は、日よけ用シート体に関し、より詳細には、所望程度の強さで太陽光を透過させることができる日よけ用シート体に関する。
【背景技術】
【０００２】
日よけは、日光を減衰させるために様々なところで用いられており、その日よけに用いる日よけ用シート体は様々なものが提案されている（例えば、特許文献１参照）。
特許文献１には、「軽量で嵩が低く、光線透過度が低く、降雨時にも使用でき、折り畳みをしばしば繰り返すような用途にも使用できる日除け用シート材料を提供する」（特許文献１、発明の詳細な説明中の段落番号０００７）ためになされたもので、具体的には、日よけ用シート体として「ニット生地からなる基布の少なくとも片面にアルミニウム金属層を設け、このアルミニウム金属層の外面にウレタン系樹脂皮膜層を設けたことを特徴とする日除け用シート材料。」（特許文献１、請求項１）が開示されている。かかる特許文献１に開示された日よけ用シート体によれば、「上記構成において、アルミニウム金属層を設けたので、熱線を反射して、日除け用に使用したときに涼しく、日焼けを防止できる。さらに、ニット生地をベースにしたため、軽くソフトな手触りを有し、ニットの特性である伸長性や弾性によって使用中のアルミニウム金属層の損傷がきわめて少ない。また、外面にウレタン系樹脂皮膜層を設けたので、日除けだけでなく雨天の際にも使用できる。」（特許文献１、発明の詳細な説明中の段落番号００１０）ものであり、それにより「少なくとも片面にアルミニウム金属層を設けたので、このアルミニウム金属層の面で紫外線のみならず、可視光線、赤外線などいわゆる熱線を反射することができ、日除け用に使用したときに涼しく、さらに肌のシミ、ソバカス、シワ、皮膚癌などの皮膚障害の主因である日焼け防止が顕著で美容にも良い。さらに、ニット生地をベースにしたため、軽くソフトな手触りを有し、ニットの特性である伸長性や弾性によって使用中のアルミニウム金属層の損傷がきわめて少ない。また、外面にウレタン系樹脂皮膜層を設けたので、日除けだけでなく、雨天の際にも使用できるという汎用性もあり、日傘、特にゴルフなどのスポーツ用の傘や一般レジャー用テントなどに広く用いることができる。」（特許文献１、発明の詳細な説明中の段落番号００１７）という効果を奏する。
【先行技術文献】
【特許文献】
【０００３】
【特許文献１】特開平６−１３４９２９号公報（例えば、要約、段落番号０００１〜００１０、００１７、第１図等）
【考案の概要】
【考案が解決しようとする課題】
【０００４】
このような特許文献１に開示された日よけ用シート体（特許文献１においては日除け用シート材料）によれば、軽量で嵩が低く、光線透過度が低く、降雨時にも使用できる日よけを形成できるが、一定の遮光率で太陽光を減衰させるものであるため、日よけ用シート体を通過した太陽光の強度が快適なものとならないことがあった（例えば、太陽光の強度が強い場合（例えば夏期）には、通過した太陽光の強度が強すぎたり、太陽光の強度が弱い場合（例えば冬期）には、通過した太陽光の強度が弱すぎることがあった。）。
そこで、本考案では、日よけ用シート体を通過した太陽光の強度が快適なものとなる日よけ用シート体を提供することを目的とする。
【課題を解決するための手段】
【０００５】
本考案の日よけ用シート体（以下、「本日よけ用シート体」という。）は、両主表面を有する日よけ用のシート体であって、該両主表面の一方である一主表面を平面に沿わせた場合、該一主表面を横断する仮想上の線分が、該一主表面に存し該線分に垂直な直線である分割直線により互いに分割された、該一主表面を形成する複数の領域を通過し、該複数の領域それぞれの全体の遮光率が、該線分の一端側に存する領域から該線分の他端側に存する領域に行くにつれて減少するものである、日よけ用シート体である。
【０００６】
本日よけ用シート体は、特許文献１における日除け用シート材料と同様に、両主表面を有する日よけ用のシート体であり、該両主表面の一方から他方に向けて太陽光が通過する際に該太陽光を弱めるものである。
本日よけ用シート体は、該両主表面の一方である一主表面を形成する複数の領域を有する。該領域は、平面に沿わせた該一主表面に存する１又は２以上の分割直線（２以上の分割直線が存する場合は、該２以上の分割直線は互いに平行である。）により該一主表面が分割されることで形成されるものであり（分割直線の本数をＮ本とすると、該領域は（Ｎ＋１）個が形成される。）、分割直線は、該一主表面を横断する仮想上の１の線分に垂直である。このため該線分は、該一主表面を形成する該複数の領域を通過する。
そして、該複数の領域それぞれの全体の遮光率が、該線分の一端側に存する領域から該線分の他端側に存する領域に行くにつれて減少する。ここに「領域の全体の遮光率」とは、その領域の各部分における遮光率（Ｒ＝（１−Ｉ／Ｉ０）×１００。但し、Ｉ０は両主表面の一方に入射する入射光の照度であり、Ｉは両主表面の他方に透過する透過光の照度である。）を面積によって加重平均したものをいう。
こうすることにより本日よけ用シート体のうち、強い太陽光は該線分の一端側に存する領域を通過させると共に、弱い太陽光は該線分の他端側に存する領域を通過させるようにすれば、強い太陽光は大きく遮光されることで大きく弱められるが、弱い太陽光はあまり遮光されないのでそれほど弱められないことから、本日よけ用シート体を通過した太陽光の強度を適したものに調整することができる（例えば、夏期の強い太陽光は該線分の一端側に存する領域を通過させ、冬期の弱い太陽光は該線分の他端側に存する領域を通過させるようにすれば、夏期は十分太陽光を弱め、冬期はあまり太陽光を弱めないので、四季を通じて快適な強さの通過太陽光を得ることができる。）。
【０００７】
本日よけ用シート体においては、前記複数が少なくとも３であってもよい。
前記一主表面を形成する前記複数の領域は、前記複数の領域それぞれの全体の遮光率が、前記線分の一端側に存する領域から前記線分の他端側に存する領域に行くにつれて減少することで、前述の通り、強い太陽光は該線分の一端側に存する領域を通過させると共に、弱い太陽光は該線分の他端側に存する領域を通過させて、本日よけ用シート体を通過した太陽光の強度を適したものに調整するものである。このため前記領域の数（前記複数）は大きい方が遮光率を細かく調整できるので、通過した太陽光の強度を適したものに細かく調整できるが、あまり大きいと本日よけ用シート体の製作が複雑になるといった問題があるので、これらを両立する範囲とされてもよく、好ましくは３以上、より好ましくは４以上であり、そして好ましくは１０以下、より好ましくは８以下である。
【０００８】
本日よけ用シート体においては、比較的高い略同じ遮光率を有する部分である複数の高遮光率部分と、高遮光率部分よりも遮光率の比較的低い略同じ遮光率を有する部分である複数の低遮光率部分と、を含んでなり、高遮光率部分に対する低遮光率部分の、前記各領域の比率を、前記線分の前記一端側に存する領域から前記線分の前記他端側に存する領域に行くにつれて増加させることで、前記全体の遮光率が、前記線分の前記一端側に存する領域から前記線分の前記他端側に存する領域に行くにつれて減少するもの（以下、「高低遮光率部分本日よけ用シート体」という。）であってもよい。
複数の領域それぞれの全体の遮光率が、前記線分の前記一端側に存する領域から前記線分の前記他端側に存する領域に行くにつれて減少するようには、様々な方法が用いられてよく、例えば、（１）各領域を樹脂材料により形成する場合には該樹脂材料に混合するフィラーの種類や量によって遮光率を変えたり、（２）各領域に太陽光を吸収したり反射する層を設けること（印刷によって該層を設けたり、アルミ箔を表面に貼着する等）で遮光率を変えたり、（３）複数の高遮光率部分と複数の低遮光率部分とを含み、前記複数の領域それぞれにおける高遮光率部分に対する低遮光率部分の比率を変えて遮光率を変えること等を挙げることができる。
とりわけ上記（３）の本日よけ用シート体が複数の高遮光率部分と複数の低遮光率部分とを含み（複数の高遮光率部分はいずれも略同じ遮光率であり、複数の低遮光率部分はいずれも略同じ遮光率であり、高遮光率部分の遮光率よりも低遮光率部分の遮光率は小さい。）、前記複数の領域それぞれにおける高遮光率部分に対する低遮光率部分の比率（前記一主表面を形成する面積比率。例えば、ある領域における高遮光率部分の占める面積Ｓ１に対する低遮光率部分の占める面積Ｓ２であれば、（Ｓ２／Ｓ１）である。）を前記線分の前記一端側に存する領域から前記線分の前記他端側に存する領域に行くにつれて増加させることで、前記全体の遮光率が、前記線分の前記一端側に存する領域から前記線分の前記他端側に存する領域に行くにつれて減少させるようにすれば、高遮光率部分及び低遮光率部分との２つの部分によってその比率を変化させることで本日よけ用シート体を容易に構成することができる。
【０００９】
高低遮光率部分本日よけ用シート体においては、高遮光率部分は、太陽光を減衰させ又は遮断する遮光材を有すると共に、低遮光率部分は、遮光材を有さず、前記両主表面を連絡する開口が形成されているもの（以下、「開口本日よけ用シート体」という。）であってもよい。
こうすることで低遮光率部分は、遮光材を要さず、前記両主表面を連絡する開口によって形成することができるので、低遮光率部分を形成するための部材を要さないことから本日よけ用シート体を軽量及び安価に構成できると共に、該開口を経由して前記両主表面間で通風を得ることができるので本日よけ用シート体の使用を快適ならしめる。
なお、遮光材としては、太陽光を減衰させ又は遮断するものであればよい。
【００１０】
開口本日よけ用シート体においては、前記遮光材は、細長い遮光長手部材を含んでなり、複数の遮光長手部材が、互いの長手方向が略平行になるように前記一主表面に沿って配置されるもの（以下、「遮光長手部材本日よけ用シート体」という。）であってもよい。
このように細長い遮光長手部材を含む遮光材を用い、複数の遮光長手部材を互いの長手方向が略平行になるように前記一主表面に沿って配置することで、高遮光率部分を規則的かつ容易に形成することができる。なお、細長い遮光長手部材とは、遮光長手部材の最大寸法Ｄ１（長手方向に沿った寸法）と、最大寸法Ｄ１の方向に対して垂直な方向に沿った寸法のうち最大の寸法Ｄ２と、の比率（Ｄ１／Ｄ２）が好ましくは１０以上、より好ましくは２００以上、最も好ましくは４００以上をいう（上限は特にないが、通常２０００以下である。）。
【００１１】
遮光長手部材本日よけ用シート体においては、遮光長手部材の長手方向と前記線分とが前記一主表面において略直交するものであってもよい。
このように遮光長手部材の長手方向（最大寸法Ｄ１に沿った方向）と前記線分とが前記一主表面において略直交することで、前記線分に沿った遮光長手部材の配置を変化させるという簡単な方法によって、領域それぞれの全体の遮光率を、前記線分の一端側に存する領域から前記線分の他端側に存する領域に行くにつれて減少するように構成できる。
【００１２】
遮光長手部材本日よけ用シート体においては、複数の遮光長手部材同士の間に形成される隙間が低遮光率部分を構成するものであってもよい。
こうすることで複数の遮光長手部材同士の間に形成される隙間の面積割合（遮光長手部材の前記一主表面を形成する面積と、遮光長手部材同士の間に形成される隙間の前記一主表面を形成する面積と、の割合）を前記各領域にて変化させることで、領域それぞれの全体の遮光率を、前記線分の一端側に存する領域から前記線分の他端側に存する領域に行くにつれて減少するように簡単に構成することができる。
【００１３】
遮光長手部材本日よけ用シート体においては、遮光長手部材が、前記シート体の両主表面を構成する前記長手方向に細長い短冊状であってもよい。
このように細長い遮光長手部材がその前記長手方向に細長い短冊状とし、その細長い短冊状の遮光長手部材が本日よけ用シート体の前記両主表面を構成するようにすれば、前記長手方向に略平行な両縁部を有する薄い短冊形状を互いに該縁部が沿うように配置することで本日よけ用シート体を効率よく形成できる。
【００１４】
遮光長手部材本日よけ用シート体においては、複数の遮光長手部材が略同じ長さであり、複数の遮光長手部材が、両端が長手方向に関して略同じ位置に存することで前記一主表面が長方形に略形成されるものであってもよい。
こうすることで略同じ長さ（長手方向に沿った寸法）の複数の遮光長手部材を両端が長手方向に関して略同じ位置に存するように配置することで前記一主表面を長方形に略形成することができ、主表面が略長方形の便利に使用できる日よけを形成することができる（窓や建物出入口等のような日よけを設置する部分は略長方形であることが多いので、前記一主表面を略長方形にする方が汎用性を高めてうまく使用できる。）。
【００１５】
遮光長手部材本日よけ用シート体においては、複数の遮光長手部材同士を互いに縛り付け支持する支持線材を有するものであってもよい。
このように複数の遮光長手部材を支持線材によって縛って支持することで、複数の遮光長手部材を互いの長手方向が略平行になるように前記一主表面に沿って容易かつ確実に配置することができる。
【００１６】
本考案は、本日よけ用シート体を用いた日よけ（以下、「本日よけ」という。）も提供する。
即ち、本日よけは、上記にて説明した本日よけ用シート体を用いた日よけであり、本日よけ用シート体を有する本日よけは、本日よけ用シート体のうち、強い太陽光は前記線分の前記一端側に存する領域を通過させると共に、弱い太陽光は前記線分の前記他端側に存する領域を通過させるようにすれば、強い太陽光は大きく遮光されることで大きく弱められるが、弱い太陽光はあまり遮光されずにそれほど弱められないことから、太陽光の強度を適したものに調整することができる。
【００１７】
本日よけにおいては、前記線分の前記一端側に存する前記一主表面の縁部の近傍に形成され、前記日よけを支持物に取り付け支持させる取付部を有するものであってもよい。
このように本日よけを支持物に取り付け支持させる取付部が、本日よけが含む本日よけ用シート体の前記線分の前記一端側に存する前記一主表面の縁部の近傍に形成することで、取付部を支持物に取り付けて本日よけを支持させると、前記一端側が上方に存すると共に前記他端側が下方に存するようになり、夏期において高度が高い太陽から発せられる強い太陽光は前記線分の前記一端側に存する領域を通過し、冬期において高度が低い太陽から発せられる弱い太陽光は前記線分の前記他端側に存する領域を通過するようになる。これによって、本日よけが、夏期は十分太陽光を弱めて通過させ、冬期はあまり太陽光を弱めず通過させるので、四季を通じて快適な強さの通過太陽光を得ることができる。
【図面の簡単な説明】
【００１８】
【図１】本考案の一実施形態の日除け（本日除け）を示す正面図である。
【図２】図１の点線Ａにて囲まれた部分の拡大図である。
【図３】図２のＦ−Ｆ断面図である。
【図４】図１の点線Ｂにて囲まれた部分の拡大図である。
【図５】図４のＧ−Ｇ断面図である。
【図６】図１の点線Ｃにて囲まれた部分の拡大図である。
【図７】図６のＪ−Ｊ断面図である。
【図８】図１の点線Ｄにて囲まれた部分の拡大図である。
【図９】図８のＫ−Ｋ断面図である。
【図１０】支持糸の詳細を示す図である。
【図１１】本日除けの使用方法の一例を示す図である。
【図１２】分割直線及び前記線分を説明するための日除け本体の正面図である。
【考案を実施するための形態】
【００１９】
本考案の実施の形態を図面を参照して詳述するが、本考案はこれに限定されるものではない。
【００２０】
図１は、本考案の一実施形態の日除け（本日除け）１１を示す正面図（太陽光線が照射される面に対して垂直方向から見たところを示している。）であり、図２は図１の点線Ａにて囲まれた部分の拡大図であり、図３は図２のＦ−Ｆ断面図であり、図４は図１の点線Ｂにて囲まれた部分の拡大図であり、図５は図４のＧ−Ｇ断面図であり、図６は図１の点線Ｃにて囲まれた部分の拡大図であり、図７は図６のＪ−Ｊ断面図であり、図８は図１の点線Ｄにて囲まれた部分の拡大図であり、そして図９は図８のＫ−Ｋ断面図である。図１乃至図９を参照して、本日除け１１について説明する。
【００２１】
本日除け１１は、全体としては平面に沿いうる柔軟な素材で形成されており、具体的には、いずれも同じ長方形を略なす表面１３ａ及び裏面１３ｂを有する日除け本体１３と、日除け本体１３に取り付けられた係止部１９と、を備えてなる。
日除け本体１３は、フィルム連続方向Ｌに長手方向が沿った細長い短冊状の複数のフィルム片１５と、該複数のフィルム片１５を互いに織り合わせて支持（係合）する支持糸１７と、を含んでなり、支持糸１７によって複数のフィルム片１５は互いの長手方向が略平行になるように支持されている（複数のフィルム片１５は、いずれも長手方向がフィルム連続方向Ｌに平行になるように、かつフィルム片１５のいずれの表面も表面１３ａを形成し、フィルム片１５のいずれの裏面も裏面１３ｂを形成するように支持されている。）。
【００２２】
複数のフィルム片１５は、形状や材質のいずれも同じものが用いられており（フィルム片１５はいずれも同一物である）、両主表面が細長い長方形をした合成樹脂製の薄いフィルムにより形成されている。フィルム片１５は、表面（表面１３ａを形成する面）から入射した太陽光を裏面（裏面１３ｂを形成する面）へ殆ど透過させない（具体的には、太陽光の遮光率（JIS L 1055A法による測定値）は約９９．８％とされている。なお、フィルム片１５の遮光率を変更することは種々の方法が採用されうるが、例えば、フィルム片１５を形成する樹脂材料に混練するフィラー（充填物）の種類や量によって遮光率を変えたり、フィルム片１５の表面に太陽光を吸収したり反射する層を設けること（印刷によって該層を設けたり、アルミ箔をフィルム片１５の表面に貼着する等）で遮光率を変えることができる。）。
【００２３】
支持糸１７は、詳細には、フィルム片１５各々に個々の糸が周回される（糸が、フィルム片１５の表面（表面１３ａを形成）及び裏面（裏面１３ｂを形成）に当接し、フィルム片１５を縛るように巻き付けられる。）と共に、上下方向（図中、矢印Ｚにて示す。フィルム連続方向Ｌに対して垂直。）に隣接する一対のフィルム片１５の一方に周回された糸と、該一対のフィルム片１５の他方に周回された糸と、が該一対のフィルム片１５の間で撚り合わされることで、複数のフィルム片１５を上下方向Ｚに連なるように支持している。図１０は、支持糸１７の詳細を示す図であり、図１０を参照して、支持糸１７の詳細を説明する。図１０（ａ）は、フィルム連続方向Ｌに長手方向が沿ったフィルム片１５ａ、１５ｂの表面を拡大した図（図２の一部拡大図）であり、図１０（ｂ）は図１０（ａ）のＮ−Ｎ断面図である。フィルム片１５ａには糸１７ａが周回されると共に、フィルム片１５ｂには糸１７ｂが周回されている。そして、これら糸１７ａと糸１７ｂとが拠り合わされた連結部分１７ｃが、フィルム片１５ａ、１５ｂの間に形成されることで、フィルム片１５ａ、１５ｂは上下方向Ｚに連なるように支持されている。このように上下方向Ｚに隣接するフィルム片１５同士は、それぞれに周回固定された糸同士が該フィルム片１５同士間で拠り合わされることにより、上下方向Ｚに連なるように支持されている。
【００２４】
係止部１９は、日除け本体１３の表面１３ａ及び裏面１３ｂがなす前記長方形の一辺である一縁１３ｃ（ここでは上縁）に沿って略等間隔に４個取り付けられた上部係止部１９ａと、前記長方形の該一辺と略平行な他縁１３ｄ（ここでは下縁）に沿って略等間隔に４個取り付けられた下部係止部１９ｂと、を含んでなる。これら８個の係止部１９のいずれも、ここでは表面１３ａ及び裏面１３ｂを連絡する貫通孔を形成するハトメにより形成されている。これらの一縁１３ｃに沿って形成された上部係止部１９ａと、他縁１３ｄに沿って形成された下部係止部１９ｂと、を何らかの支持物に係止させることで、本日除け１１を支持させ、使用することができる。
【００２５】
そして、日除け本体１３は、上下方向Ｚに沿って、最も上に存する第１部分２１と、第１部分２１に隣接するように第１部分２１の下に形成された第２部分３１と、第２部分３１に隣接するように第２部分３１の下に形成された第３部分４１と、そして第３部分４１に隣接するように第３部分４１の下に形成された第４部分５１（最も下に存する）と、を含んでなる。これら第１部分２１乃至第４部分５１の各部分の違いは、フィルム片１５の配置であり、具体的には、第１部分２１は上下方向Ｚにフィルム片１５が隙間無く配置されているのに対し、第２部分３１乃至第４部分５１についてはフィルム片１５が配置されないことによってスリット１８（フィルム連続方向Ｌに細長い隙間。１のフィルム片１５とほぼ同じ形状及び寸法である。）が形成されている点が異なり、第２部分３１乃至第４部分５１の違いは、上下方向Ｚに沿ったスリット１８の形成割合である。
詳細には、上下方向Ｚに沿って、第２部分３１においては隣接する一対のスリット１８の間に３のフィルム片１５が配置され、第３部分４１においては隣接する一対のスリット１８の間に２のフィルム片１５が配置され、そして第４部分５１においては隣接する一対のスリット１８の間に１のフィルム片１５が配置されている。これによって第１部分２１、第２部分３１、第３部分４１、第４部分５１に行くにつれて、表面１３ａの単位面積に占めるスリット１８の割合が増加する（具体的には、該割合は、第１部分２１では０％、第２部分３１では約２５％、第３部分４１では約３３％、第４部分５１では約５０％である。）。
このように表面１３ａの単位面積に占めるスリット１８の割合が、第１部分２１、第２部分３１、第３部分４１、第４部分５１において異なることで、第１部分２１、第２部分３１、第３部分４１、第４部分５１それぞれの太陽光の遮光率が異なる。即ち、前述の通り、フィルム片１５の太陽光の遮光率は約９９．８％であり、スリット１８においては約０％であるので、表面１３ａの単位面積に占めるスリット１８の割合が異なることによって、第１部分２１、第２部分３１、第３部分４１、第４部分５１各々の全体の太陽光の遮光率が異なる。例えば、フィルム片１５の太陽光の遮光率をＸ％（前述の通り、ここでは約９９．８％）とし、表面１３ａの単位面積に占めるスリット１８の割合をｙ％とすれば、０％×ｙ／１００＋Ｘ％×（１００−ｙ）／１００＝（Ｘ（１−ｙ／１００））％となる。
【００２６】
図１１は、本日除け１１の使用方法の一例を示したものであり、図１１を参照して、本日除け１１の使用方法を説明する。
まず、本日除け１１を、図示しない支持物に支持させる。具体的には、一縁１３ｃに沿って形成された上部係止部１９ａと、他縁１３ｄに沿って形成された下部係止部１９ｂと、を図示しない支持物に係止させることで（上部係止部１９ａが上方に、下部係止部１９ｂが下方になるように係止する。）、本日除け１１を支持させる。
このとき、高度が高い位置の太陽２０１（例えば、夏期）が非常に強い太陽光を照射するため太陽２０１からの太陽光を受けたくない場合には、使用者３０１の位置から見て太陽２０１と使用者３０１との間に第１部分２１が存在するように本日除け１１の位置を決める。これによって第１部分２１は太陽光を通過させないので、使用者３０１は太陽光を受けない。
【００２７】
そして、高度がやや低くなった位置の太陽２０３（例えば、初夏）が強い太陽光を照射するため太陽２０１からの太陽光をほとんど受けたくない場合には、使用者３０１の位置から見て太陽２０３と使用者３０１との間に第２部分３１が存在するように本日除け１１の位置を決める。これによって第２部分３１はほとんど太陽光を通過させないので、使用者３０１は強い太陽光を受けない。
高度が低くなった位置の太陽２０５（例えば、春秋）はやや強い太陽光を照射するため太陽２０５からの太陽光を少し弱めて受けたい場合には、使用者３０１の位置から見て太陽２０５と使用者３０１との間に第３部分４１が存在するように本日除け１１の位置を決める。これによって第３部分４１は太陽光を少し弱めて通過させるので、使用者３０１は少し弱めた太陽光を受けることができる。
高度が十分低くなった位置の太陽２０７（例えば、冬）は弱い太陽光を照射するため太陽２０７からの太陽光を十分受けたい場合には、使用者３０１の位置から見て太陽２０７と使用者３０１との間に第４部分５１が存在するように本日除け１１の位置を決める。これによって第４部分５１は太陽光をあまり弱めずに通過させるので、使用者３０１は十分な太陽光を受けることができる。
【００２８】
以上の通り、本日除け１１は、一縁１３ｃ（上縁）側から他縁１３ｄ（下縁）に向かって、太陽光の透過率が増加するように第１部分２１、第２部分３１、第３部分４１、第４部分５１が形成されているので、図１１のように一縁１３ｃを上縁とし他縁１３ｄを下縁として設置することで、太陽光の強度が大きい高い太陽からの太陽光を大きく減衰又は遮断すると共に、太陽光の強度が小さい低い太陽からの太陽光をうまく透過させることができるので、使用者３０１を快適ならしめる。
また、本日除け１１は、表面１３ａの単位面積に占めるスリット１８の割合を第１部分２１、第２部分３１、第３部分４１、第４部分５１それぞれで異ならせることによって、第１部分２１、第２部分３１、第３部分４１、第４部分５１それぞれの太陽光遮光率を変化させていることから、表面１３ａと裏面１３ｂとの間でスリット１８を経由して通風が得られる。このため本日除け１１を設置しても所望の風通しを得ることができ、かかる点からも使用者３０１を快適ならしめる（特に、表面１３ａの単位面積に占めるスリット１８の割合は、低い位置に存する第４部分５１や第３部分４１において大きいので、地表に沿って低い位置を吹く風が第４部分５１や第３部分４１をうまく通過でき、心地よい風通しを得ることができる。）。
【００２９】
図１２は、分割直線及び前記線分を説明するための日除け本体１３の正面図（図１と同様の位置から見たものである。）であり、図示及び理解を容易にするため第１部分２１、第２部分３１、第３部分４１及び第４部分５１が有する模様や係止部１９等の図示を省略している。上で説明した図１〜図１１に加え、図１２を参照しつつ日除け本体１３に関し説明する。
本日除け１１の日除け本体１３は、両主表面（ここでは表面１３ａ及び裏面１３ｂ）を有する日よけ用のシート体であって、該両主表面（表面１３ａ及び裏面１３ｂ）の一方である一主表面（例えば表面１３ａ）を平面に沿わせた場合（図１、図１２）、該一主表面（表面１３ａ）を横断する仮想上の線分４０１が、該一主表面（表面１３ａ）に存し該線分４０１に垂直な直線である分割直線５０１ａ、５０１ｂ、５０１ｃにより互いに分割された、該一主表面（表面１３ａ）を形成する複数（ここでは４）の領域（ここでは第１部分２１、第２部分３１、第３部分４１、第４部分５１であり、第１部分２１と第２部分３１とを仮想上の分割直線５０１ａが分割しており、第２部分３１と第３部分４１とを仮想上の分割直線５０１ｂが分割しており、第３部分４１と第４部分５１とを仮想上の分割直線５０１ｂが分割している。）を通過し、該複数の領域（第１部分２１、第２部分３１、第３部分４１、第４部分５１）それぞれの全体の遮光率が、該線分４０１の一端４０１ａ側に存する領域から該線分４０１の他端４０１ｂ側に存する領域に行くにつれて減少するものである、日よけ用シート体である。具体的には、フィルム片１５の太陽光の遮光率をＸ％とし、各領域（ここでは第１部分２１、第２部分３１、第３部分４１、第４部分５１）におけるスリット１８の割合をｙ％とすれば、遮光率（Ｘ（１−ｙ／１００））％であるので、第１部分２１ではｙ＝０％であるからＸ％であり、第２部分３１ではｙ＝約２５％であるから０．７５Ｘ％であり、第３部分４１ではｙ＝約３３％であるから０．６７Ｘ％であり、そして第４部分５１ではｙ＝約５０％であるから０．５Ｘ％である。従って、第１部分２１の全体の遮光率Ｘ％＞第２部分３１の全体の遮光率０．７５Ｘ％＞第３部分４１の全体の遮光率０．６７Ｘ％＞第４部分５１の全体の遮光率０．５Ｘ％となっており、線分４０１の一端４０１ａ側に存する領域から他端４０１ｂ側に存する領域に行くにつれて各領域の全体の遮光率が減少している。
【００３０】
日除け本体１３においては、前記複数が少なくとも３（ここでは第１部分２１、第２部分３１、第３部分４１、第４部分５１の４）である。
日除け本体１３においては、比較的高い略同じ遮光率（遮光率約９９．８％）を有する部分である複数の高遮光率部分（ここではフィルム片１５）と、高遮光率部分（フィルム片１５）よりも遮光率の比較的低い略同じ遮光率（遮光率約０％）を有する部分である複数の低遮光率部分（ここではスリット１８）と、を含んでなり、高遮光率部分（フィルム片１５）に対する低遮光率部分（スリット１８）の、前記各領域（第１部分２１、第２部分３１、第３部分４１、第４部分５１）の比率を、前記線分４０１の前記一端４０１ａ側に存する領域から前記線分４０１の前記他端４０１ｂ側に存する領域に行くにつれて増加させることで、前記全体の遮光率が、前記線分４０１の前記一端４０１ａ側に存する領域から前記線分４０１の前記他端４０１ｂ側に存する領域に行くにつれて減少するものである（第１部分２１にはスリット１８が存在せず、第２部分３１においては隣接する一対のスリット１８の間に３のフィルム片１５が配置され、第３部分４１においては隣接する一対のスリット１８の間に２のフィルム片１５が配置され、そして第４部分５１においては隣接する一対のスリット１８の間に１のフィルム片１５が配置されている。）。
【００３１】
日除け本体１３においては、高遮光率部分は、太陽光を減衰させ又は遮断する遮光材（フィルム片１５）を有すると共に、低遮光率部分は、遮光材（フィルム片１５）を有さず、前記両主表面（表面１３ａ及び裏面１３ｂ）を連絡する開口（スリット１８）が形成されているものである。
日除け本体１３においては、前記遮光材は、細長い遮光長手部材（フィルム片１５）を含んでなり、複数の遮光長手部材（フィルム片１５）が、互いの長手方向（フィルム連続方向Ｌ）が略平行になるように前記一主表面（表面１３ａ）に沿って配置されるものである。
日除け本体１３においては、遮光長手部材（フィルム片１５）の長手方向（フィルム連続方向Ｌ）と前記線分４０１とが前記一主表面（表面１３ａ）において略直交するものである。
【００３２】
日除け本体１３においては、複数の遮光長手部材（フィルム片１５）同士の間に形成される隙間（スリット１８）が低遮光率部分を構成するものである。
日除け本体１３においては、遮光長手部材（フィルム片１５）が、前記シート体（日除け本体１３）の両主表面（表面１３ａ及び裏面１３ｂ）を構成する前記長手方向（フィルム連続方向Ｌ）に細長い短冊状である。
日除け本体１３においては、複数の遮光長手部材（フィルム片１５）が略同じ長さであり、複数の遮光長手部材（フィルム片１５）が、両端が長手方向（フィルム連続方向Ｌ）に関して略同じ位置に存することで前記一主表面（表面１３ａ）が長方形に略形成されるものである。
日除け本体１３においては、複数の遮光長手部材（フィルム片１５）同士を互いに縛り付け支持する支持線材（ここでは支持糸１７）を有するものである。
【００３３】
本日除け１１は、日よけ用シート体（日除け本体１３）を用いた日よけである。
本日除け１１は、前記線分４０１の前記一端４０１ａ側に存する前記一主表面（表面１３ａ）の縁部（一縁１３ｃ）の近傍に形成され、前記日よけ１１を支持物（不図示）に取り付け支持させる取付部（ここでは上部係止部１９ａ）を有するものである。
【符号の説明】
【００３４】
１１        本日除け
１３        日除け本体
１３ａ      表面
１３ｂ      裏面
１３ｃ      一縁
１３ｄ      他縁
１５、１５ａ、１５ｂ  フィルム片
１７、１７ａ、１７ｂ  支持糸
１７ｃ      連結部分
１８        スリット
１９        係止部
１９ａ      上部係止部
１９ｂ      下部係止部
２１        第１部分
３１        第２部分
４１        第３部分
５１        第４部分
２０１        高度が高い位置の太陽
２０３        高度がやや低くなった位置の太陽
２０５        高度が低くなった位置の太陽
２０７        高度が十分低くなった位置の太陽
３０１        使用者
４０１        線分
４０１ａ      一端
４０１ｂ      他端
５０１ａ、５０１ｂ、５０１ｃ  分割直線
【図１】
0003201610.tif 000003
【図２】
0003201610.tif 000004
【図３】
0003201610.tif 000005
【図４】
0003201610.tif 000006
【図５】
0003201610.tif 000007
【図６】
0003201610.tif 000008
【図７】
0003201610.tif 000009
【図８】
0003201610.tif 000010
【図９】
0003201610.tif 000011
【図１０】
0003201610.tif 000012
【図１１】
0003201610.tif 000013
【図１２】
0003201610.tif 000014